(57)【要約】【課題】監視カメラなどの小型の撮像装置において、カメラ本体内部に導くケーブルの配線方向によらず、防水性を担保する。【解決手段】撮像装置において、本体の筐体内に導かれるケーブルが通る挿通部と該挿通部の周囲を覆うように配置された薄肉部とを有し、筐体内に配置されるパッキン部材と、筐体における前記ケーブルが導かれる位置に対応して設けられ、該筐体の内側に回動することで挿通部の向きを変える外装部材と、を配する。【選択図】  図６
2020056864.tif 000002
【特許請求の範囲】
【請求項１】
本体の筐体内に導かれるケーブルが通る挿通部と前記挿通部の周囲を覆うように配置された薄肉部とを有し、前記筐体内に配置されるパッキン部材と、
前記筐体における前記ケーブルが導かれる位置に対応して設けられ、前記筐体の内側に回動することで前記挿通部の向きを変える外装部材と、を備えることを特徴とする撮像装置。
【請求項２】
前記外装部材の回動により前記挿通部が向きを変える際に、前記挿通部は前記筐体の外部から直接見えない位置に移動されることを特徴とする請求項１に記載の撮像装置。
【請求項３】
前記外装部材は前記薄肉部に当接する当接部を有し、
前記外装部材が回動することで前記当接部が前記薄肉部に当接することにより前記挿通部の向きが変わることを特徴とする請求項１に記載の撮像装置。
【請求項４】
前記当接部は、前記外装部材の回動により前記挿通部が向きを変える際に、前記挿通部を前記筐体の外部から直接見えない位置に移動させる長さだけ、前記筐体の内側に突き出すことを特徴とする請求項３に記載の撮像装置。
【請求項５】
前記外装部材は、回動軸を介して前記筐体により回動可能に支持されることを特徴とする請求項３又は４に記載の撮像装置。
【請求項６】
前記外装部材は薄肉の連結部を介して前記筐体に支持されており、前記薄肉部を中心に回動することを特徴とする請求項３又は４に記載の撮像装置。
【請求項７】
前記パッキン部材は、シリコーンゴムにより構成されることを特徴とする、請求項１乃至６のいずれか１項に記載の撮像装置。
【請求項８】
前記薄肉部は前記挿通部の周囲に配置される山状部と谷状部とが繰り返して配置されるベローズ構造部を有することを特徴とする請求項１乃至７のいずれか１項に記載の撮像装置。
【請求項９】
前記挿通部は前記パッキン部材に少なくとも２つ配置され、
前記外装部材は前記挿通部に対応して設けられ、
前記外装部材の少なくとも１つが回動した場合に、前記挿通部は各々独立して向きを変えることを特徴とする請求項１乃至８のいずれか１項に記載の撮像装置。
【請求項１０】
前記パッキン部材における前記挿通部の各々の間には、前記挿通部の各々が独立して向きを変えた際に、前記挿通部の向きの変化を吸収可能な弾性能を備えるバッファ薄肉部が配置されることを特徴とする請求項９に記載の撮像装置。
【発明の詳細な説明】
【技術分野】
【０００１】
本発明は、防水性能が求められる撮像装置に関するものである。
【背景技術】
【０００２】
オフィスビル、店舗、街中などにおいて、防犯、防災などを目的として監視カメラが利用されている。ユーザーは使用用途に応じて、設置場所を選択して設置する。たとえば、店舗の外側を監視したい場合は、店舗の軒下に監視カメラを設置して、人の出入りを監視する。店舗の軒下に監視カメラを設置する場合には、軒の天井に監視カメラを設置する形態が一般的であるが、屋外に設置するため、降雨などにより監視カメラ本体に水が掛かった場合でも監視カメラとしての性能が担保されることが求められる。
【０００３】
そのような防水性能を担保するためには、水が掛かったときに監視カメラの本体内部に水が浸入しないことが必要となる。本体内部に水が浸入する経路の一つとしては、本体内部へケーブルを取り込むためのケーブル挿通部があげられる。監視カメラにおいて、電源を重畳したネットワークケーブルであるＰｏｗｅｒ  ｏｖｅｒ  Ｅｔｈｅｒｎｅｔケーブル（以下ＰｏＥケーブル）が良く使われている。使用時には、たとえば、建物の中にＰｏＥケーブルの電源供給装置としてのハブを設置し、ハブにＰｏＥケーブルを接続してＰｏＥケーブルを建物の外まで配敷する。そして、監視カメラ本体に設けられるケーブル挿通部を経由させて、ＰｏＥケーブルを監視カメラの内部に設けられているＰｏＥケーブルの雌コネクタに接続する。
【０００４】
一般的には、ケーブル挿通部としてはゴム製のパッキン部材が使われることが多い。このパッキン部材に設けられた穴に対してＰｏＥケーブルが挿通することで、パッキン部材がＰｏＥケーブルに密接し、本体内部への水の侵入を防いでいる。
【０００５】
ところで、天井に監視カメラ本体を設置する場合、カメラ本体の内部にＰｏＥケーブルを接続するための経路には、天井内部からの経路と天井に沿った経路とが有る。例えば、図９で示すような天井内部から配線する経路では、天井４０２を貫通して監視カメラ４０３の内部にＰｏＥケーブル４０１が導かれ、コネクタ４０４に接続されている。また、図１０で示すような天井に沿って配線する経路では、天井４０２に沿って敷設されたＰｏＥケーブル４０１が監視カメラ４０３の側面を貫通して内部に導かれ、コネクタ４０４に接続されている。カメラ内部にＰｏＥケーブルを配線するためのパッキン部材の配置としては、このような少なくとも二方向からの経路に対応できていることが望ましい。一般的には、パッキン部材を天井に対して斜めに配置することで天井内部からの経路と横からの経路の両方に対応できるようにしていることが多い。
【先行技術文献】
【特許文献】
【０００６】
【特許文献１】特開２０１６−１２２１８９号公報
【発明の概要】
【発明が解決しようとする課題】
【０００７】
しかしながら、横から配線する場合は、ＰｏＥケーブルが通るための穴が必要なので筐体の側面に穴あるいは切欠きを設ける必要がある。その穴あるいは切欠きの存在は、カメラ本体におけるこれらの内側に配置されているパッキン部材に直接水が当たる可能性を高めてしまう。たとえば、防水規格として一般的に知られているＩＰｘ６では、噴流をあらゆる角度からカメラ本体に当てて規格に適合しているか否かの検査を行う。当該検査では、監視カメラの筐体の側面に穴あるいは切欠きが存在すると、噴流がパッキン部材に当たる可能性が高くなる。パッキン部材に噴流が直接当たると、噴流の水圧によりパッキン部材がめくれて、水がカメラ本体内部に侵入しやすくなる。
【０００８】
監視カメラにおける防水構造については、例えば特許文献１に、筐体の外側にベローズ構造を持つパッキン部材を配置する構成が提案されている。しかし、当該構成は、天井から配線する経路に対しては有効ではあるが、カメラの横側から配線する経路には対応していない。
【０００９】
また、防水構造として、パッキン部材の外側に複数の壁を設けることで噴流が直接パッキン部材に当たらないようにすることもできる。しかし、このような構造は本体サイズが十分に大きい場合には、壁を配置するスペースもあるので有効だが、本体サイズが小さい場合には、物理的に壁を配置することが困難になる。
【００１０】
本発明は以上の状況に鑑みたものであって、本体内部に導くケーブルの配線方向によらず、防水性を担保できる監視カメラなどの小型の撮像装置を提供する。
【課題を解決するための手段】
【００１１】
上記課題を解決するために、本発明の一態様に係る撮像装置は、
本体の筐体内に導かれるケーブルが通る挿通部と前記挿通部の周囲を覆うように配置された薄肉部とを有し、前記筐体内に配置されるパッキン部材と、
前記筐体における前記ケーブルが導かれる位置に対応して設けられ、前記筐体の内側に回動することで前記挿通部の向きを変える外装部材と、を備えることを特徴とする。
【発明の効果】
【００１２】
本発明によれば、監視カメラなどの小型の撮像装置において、本体内部に導くケーブルの配線方向によらず、防水性を担保することができる。
【図面の簡単な説明】
【００１３】
【図１】本発明の第１の実施例に係る監視カメラの本体斜視図である。
【図２】図１に示した監視カメラの断面図である。
【図３】図１に示した監視カメラに用いられるパッキン部材の斜視図である。
【図４】図３に示したパッキン部材において挿通部が回動した状態を示した図である。
【図５】図２におけるパッキン部材周辺の拡大断面図である。
【図６】挿通部が回動した状態のパッキン部材周辺の拡大断面図である。
【図７】本発明の第２の実施例に係る監視カメラの裏面側からの本体斜視図である。
【図８】図７に示した監視カメラにおけるパッキン部材周辺の拡大斜視図である。
【図９】監視カメラにおける一般的な天井からの配線経路を示した部分断面図である。
【図１０】監視カメラにおける一般的な横からの配線経路を示した部分断面図である。
【発明を実施するための形態】
【００１４】
以下、本発明を実施するための例示的な実施例を、図面を参照して詳細に説明する。ただし、以下の実施例で説明する寸法、材料、形状、及び構成要素の相対的な位置等は任意であり、本発明が適用される装置の構成又は様々な条件に応じて変更できる。また、図面において、同一であるか又は機能的に類似している要素を示すために図面間で同じ参照符号を用いる。
【００１５】
（第１の実施例）
以下に、図１〜６を参照して、本発明の第１の実施例に係る撮像装置について詳細に説明する。なお、以下の実施例では、撮像装置に一態様として監視カメラを例示して発明の説明を行うが、本発明の適用対象は例示した監視カメラに限られず、防水性能を求められる他の撮像装置も含まれる。
【００１６】
図１は、天井２０１に設置された監視カメラ１を斜め下側から見た全体斜視図である。本実施例に係る監視カメラは、筺体と、筺体内部に配置される不図示のカメラユニットと、該カメラユニットを制御する不図示の制御系とを備える。なお、カメラユニット等は、本発明により得られる効果を直接呈する構成ではないことから、ここでの説明は割愛する。また、図面においても、本発明の特徴の理解を容易とするために図中より省略する。
【００１７】
図１に示すように、監視カメラ１の筐体は、トップカバー１００、ボトムカバー１０１、サイドカバー１０２、小カバー１０３、及びドーム１０４を備えている。ボトムカバー１０１は、略円筒形状を有し、天井２０１に対してビス（不図示）により固定され、これにより監視カメラ１は天井２０１に固定される。トップカバー１００は、ボトムカバー１０１の円筒開口を閉鎖するように該ボトムカバー１０１にビス（不図示）により固定される。ドーム１０４は、トップカバー１００の略中央部に設けられる開口を閉鎖するように、トップカバー１００にビス（不図示）により固定される。ボトムカバー１０１は側面に開口が設けられており、この開口はサイドカバー１０２をビス（不図示）によりボトムカバー１０１に固定することで閉鎖される。サイドカバー１０２は後述するＰｏＥケーブル２０２を筐体内に導く際に用いる開口部を有し、この開口部は小カバー１０３により閉鎖される。
【００１８】
次に監視カメラ１の内部構造について、天井２０１に設置された監視カメラ１の断面図を示した図２を用いて説明する。上述した筐体の内部には、撮像素子や光学系を有する不図示のカメラユニット及びその制御系と、撮像した映像を処理する基板１０５とが配置されている。基板１０５の面上には、電源を重畳したネットワークケーブルとしてのＰｏＥケーブル２０２を接続するためのコネクタ１０６が配置されている。
【００１９】
ボトムカバー１０１には、ＰｏＥケーブル２０２を監視カメラ１の本体内部に挿通するためのパッキン部材１０７が備えられている。ＰｏＥケーブル２０２は、このパッキン部材１０７の中央部に設けられた貫通穴１１１を通り監視カメラ１の内部に配線される。
【００２０】
本実施例に係る監視カメラ１は、屋外に設置されることを想定した屋外対応機である。このため、降雨などにより水が監視カメラ１に当たっても監視カメラ１の内部に水が浸入しないようにシール性が保たれている。そのメカニズムに関わるＰｏＥケーブル２０２の挿通部１０８のシール性について、パッキン部材１０７の斜視図である図３を参照して次に述べる。
【００２１】
パッキン部材１０７は、図３に示すようにＰｏＥケーブル２０２が通る貫通穴１１１が設けられる挿通部１０８と挿通部１０８の周辺を覆うように形成されている薄肉のベローズ部１０９が一体になっている。また、ベローズ部１０９の周囲には、図３に斜線部で示されるシール面１１０が配置される。このシール面１１０がボトムカバー１０１の対応する平面と当接し、且つ貫通穴１１１とＰｏＥケーブル２０２の外周面とが密着することで、シール性が保たれる。
【００２２】
ここに例示するパッキン部材１０７は、ベローズ部１０９を設けていることで挿通部１０８の周囲に柔軟性を与える。その結果、ベローズ部１０９或いはその周囲を、例えばＰｏＥケーブル２０２の挿通方向に押圧することで、図４のように挿通部１０８の姿勢を容易に変えることができる。図４は、図３に示したパッキン部材１０７における挿通部１０８の図中左側のベローズ部１０９の領域を挿通方向に押圧した際の変形状態を図示している。
【００２３】
なお、本明細書において、ベローズ部１０９を構成するベローズとは、任意の方向に延在する山状の部分と、該任意の方向とは垂直な方向で山状の部分に並び且つ任意の方向に延在する谷状の部分とが繰り返して設けられる形状からなる部材を意味する。また、これら繰り返し形状が、膜或いは可撓性を備えた板状の部材から構成されることで、上述したベローズ部１０９となるベローズ構造が得られる。当該構成によれば、ベローズ部１０９は、山状部分と谷状部分との各々が変形することから、これらが並べて配置される方向での伸び等の変形があっても挿通部１０８にはその変形を及ぼすことが無い。従って、このベローズ部１０９を配することで、この部分をゴム等の平面板から構成した場合よりも、挿通部１０８を変形させること無く、該ベローズ部１０９をより大きく伸ばすことができる。なお、ベローズ部１０９では、大きく伸ばして変形させたい部分とあまり変形させたくない部分とで肉厚を変えることで、その変形状態をコントロールすることができる。例えば、挿通部１０８はＰｏＥケーブル２０２に対する密着性を確保するために歪みは少ない方が望ましい。例えば、挿通部１０８は、ケーブルと密着状態を維持するために変形は低減することが望ましい。そのために、挿通部１０８の周辺部は肉厚を厚めにすることで、全体的に変形することで局所的な大きな変形を防ぐことができる。一方、挿通部１０８から離れた位置にあり、挿通部１０８の姿勢を決める部分であるシール面１１０に近い部分は、肉厚を薄くすることで大きく伸ばして変形させることができる。
【００２４】
図２は、ＰｏＥケーブル２０２が天井２０１側から監視カメラ１内部に配線されている状態を示している。しかし、天井２０１に沿って横からＰｏＥケーブル２０２を配線することも可能である。各々の形態の配線を行った場合について、図５及び図６を参照して次に述べる。図５及び図６は、監視カメラ１におけるパッキン部材１０７周辺を拡大した拡大断面図である。図５は天井２０１からＰｏＥケーブル２０２を配線した状態を、図６は天井２０１に沿って横からＰｏＥケーブル２０２を配線した状態をそれぞれ示している。
【００２５】
例えば、パッキン部材１０７が図５の状態に対応するように設けられている場合、ＰｏＥケーブル２０２の外周面と貫通穴１１１の内周面とは、図５の状態にあるときに適切な位置関係で当接する。その結果、ＰｏＥケーブル２０２とパッキン部材１０７とは想定どおりの密着性を示し、十分な防水性を呈する。しかし、この状態のまま横からＰｏＥケーブル２０２を貫通穴１１１に通そうとした場合、挿通部１０８或いは貫通穴１１１の内周面には延在方向ではなく径方向に負荷がかかる。その結果、ＰｏＥケーブル２０２の外周面と貫通穴１１１の内周面とは適切な関係で当接できていない可能性が生じる。
【００２６】
小カバー１０３は、サイドカバー１０２に対して回動中心１１２を中心に図６に示す矢印方向に回動可能に配置されている。具体的構成として、例えば小カバー１０３は、回動中心１１２に位置し且つ図５の紙面に垂直な方向に延在する回転軸を有する。また、この場合、サイドカバー１０２は、例えばこの回転軸を回動中心１１２周りの方向に回転可能に支持する支持部を有するとよい。このような構成を配することで、該小カバー１０３は回動中心１１２を中心に、図５に示す姿勢と図６に示す姿勢との間でその向きを変更することができる。なお、本実施例では、サイドカバー１０２が回転支持部を有する構成としたが、ボトムカバーが回動支持部を有し、ボトムカバーの回転支持部周りにサイドカバー１０２が回動する構成としても良い。
【００２７】
また、小カバー１０３は、サイドカバー１０２の開口部を閉鎖する位相にあるとき（図５）に、筐体の内方に、より好ましくは小カバー１０３から垂直に突き出す突起部１１３を有する。突起部１１３は棒形状でもよく、板形状でもよい。また、開口部を開放する位相にあるとき（図６）に、パッキン部材１０７に当接し、更に小カバー１０３の回動方向に該パッキン部材１０７を押圧できる突き出し長さを有する。
【００２８】
天井２０１からＰｏＥケーブル２０２を配線した場合、図５に示すとおり、小カバー１０３はボトムカバー１０１の側面を塞ぐような位相でビス１１５によりサイドカバー１０２に固定される。一方、天井２０１に沿って横からＰｏＥケーブル２０２を配線した場合、図６に示すとおり、小カバー１０３はボトムカバー１０１の側面を開放するような位相でビス１１５によりサイドカバー１０２に固定される。
【００２９】
小カバー１０３には、上述した突起部１１３が設けられている。小カバー１０３の回動により、該突起部１１３はベローズ１０９部若しくはパッキン部材１０７におけるベローズ部１０９の周囲の部位に当接する。当接されたパッキン部材１０７は図６のとおり下方に押され、ベローズ部１０９が変形することにより挿通部１０８も回動する。同図ではパッキン１０７を構成する平面（一点鎖線にて表示）が回動する様子を、矢印にて示している。これに伴って、挿通部１０８に設けられた貫通穴１１１の中心軸は、小カバー１０３が位置する方向に回動する。結果として、貫通穴１１１はより側方に向き、ＰｏＥケーブル２０２と貫通穴１１１の内周面とは適切な位置関係で当接することとなり、その密着性が向上し、防水性が担保される。即ち、本実施例によれば、ＰｏＥケーブル２０２を横方向から監視カメラ１に導いた場合であっても、天井２０１から導いた場合と同様の防水性の担保が期待できる。
【００３０】
また、上述したように、防水性を担保するためには、監視カメラ１の外側から貫通穴１１１に直接当たる噴流を軽減することも必要である。図５に示した配置の場合には、貫通穴１１１に直接当たる噴流は小カバー１０３により軽減される。本実施例によれば、図６に示した配置の場合であっても、突起部１１３の突き出し長さを調節することで、回動した小カバー１０３を噴流に対する壁として機能させることができる。更に、挿通部１０８が回動することで、挿通部１０８の位置が噴流に対して逃げる方向に位置することとなる。そのため、これら２つの効果によって、貫通穴１１１に直接当たる噴流を軽減できる。
【００３１】
図６に示すように、突起部１１３によりパッキン部材１０７が押圧されると、挿通部１０８とベローズ部１０９とが回動する。その際に、この回動する方向にベローズ部１０９がたわむと、挿通部１０８の変形が生じることから、ベローズ部１０９自体はたわまないことが望ましい。即ち、突起部１１３による押圧によって、パッキン１０７は図６に示す一点鎖線方向に伸ばされるが、ベローズ構造によりこの伸びは吸収され、挿通部１０８の変形が低減されることが望ましい。よって、ベローズ部１０９の山状の部分等の延在方向と異なる方向に延在する梁形状を設けるなどして、このたわみを防止するように、所望の方向に対する強度を上げるとよい。このようにすることで、一点鎖線方向には変形し易いが紙面方向には変形しにくくなるように、特定の方向に変形するように変形し易い方向をコントロールすることができる。また、強度を上げたい方向に対して肉厚を変化させて所望の方向の断面係数を変えても同様の構成が実現できる。
【００３２】
本実施例において、小カバー１０３は回動中心１１２を回転中心とする軸を有し、その軸中心に回動する構成とした。しかし、小カバー１０３を回動させる構成はこれに限られず、軸中心に回動する構成でなくてよい。たとえば、サイドカバー１０２の一部が小カバー形状部を形成し、その小カバー形状部の外周部が、薄肉とされた連結部でサイドカバー１０２と接続されている形態にもできる。この場合、例えばＰｏＥケーブル２０２を横から挿入する際には、例えば小カバー形状部を回転させる際の軸となる部分以外の連結部を切断するとよい。このようにすることで、小カバー形状部は残された連結部を軸として、サイドカバー１０２に対して回動（傾倒）することができる。なお、ここで述べた形態は構成の容易さなどから適用に好適と考えられる例示である。しかし、その他、小型監視カメラに内蔵可能な構成であれば、小カバー１０３に対して公知の回動可能な形態を適用してもよい。
【００３３】
また、本実施例では、筐体をトップカバー１００、ボトムカバー１０１、サイドカバー１０２、小カバー１０３及びドーム１０４から構成している。しかし、これら各構成を部分的に一体化してもよい。例えば、サイドカバーと小カバーとを一体化し、これをボトムカバー１０１に固定する形状としてもよい、或いは、サイドカバーとボトムカバーとを一体化し、これに小カバーを固定する形状としてもよい。或いは、ボトムカバー１０１、サイドカバー１０２、及び小カバー１０３を全て一体化することもできる。この場合、小カバー１０３に対応する部分の外周部を薄肉部とし、該薄肉部を介して周囲と接続しておくことにより、小カバー１０３に対応する部分を他の部分とは独立させて傾倒させることができる。
【００３４】
上述したように、本実施例に係る撮像装置は、パッキン部材１０７と外装部材（小カバー１０３）とを備える。パッキン部材１０７は、カメラ本体の筐体内に導かれるケーブル（２０２）が通る挿通部１０８と該挿通部１０８の周囲を覆うように配置された薄肉部（ベローズ部１０９）とを有する。また、このパッキン部材１０７は、筐体内に配置される。外装部材は、小カバー１０３の形態以外でもよいが、筐体におけるケーブル（２０２）が導かれる位置に対応して設けられる。そして、筐体の内側に回動することで挿通部１０８の向きを変える。
【００３５】
なお、上述した実施例では、薄肉部としてベローズ部１０９を配しているが、これを弾性変形可能なシリコーンゴム等からなる薄肉の部材より構成してもよい。本実施例では、この薄肉部を、挿通部１０８の周囲に配置される山状部と谷状部とが繰り返して配置されるベローズ構造部からなるベローズ部１０９とすることで、大きな変形を可能としている。しかし、薄肉材料により大きな変形が可能であれば、ベローズ部１０９を配さなくともよい。また、材料は防水性等の観点からシリコーンゴムが適するが、使用環境に応じてフッ素ゴムなど、他の種々のゴムを用いることもできる。
【００３６】
なお、小カバー１０３の回動により挿通部１０８が向きを変える際に、挿通部１０８は筐体の外部から直接見えない位置に移動されるとよい。これにより、上述したように噴流が直接貫通穴周辺に当たることを防止できる。
【００３７】
また、上述したように、小カバー１０３は、薄肉部（１０９）に当接する当接部として突起部１１３を有するとよい。そして、小カバー１０３が回動することで該当接部（１１３）が薄肉部（１０９）に当接することにより、挿通部１０８の向きが変わる。このように、小カバー１０３に突起部１１３を配することにより、簡易な構成にて挿通部１０８の向きを変えることが可能となる。しかし、部材を配置する空間の制約が無ければ、例えばカム機構等を配して小カバー１０３の回動に応じて、他の部材が薄肉部（１０９）に対してより負荷の少ない角度で押圧を行う構成としてもよい。また、突起部１１３を設ける場合、該突起部１１３は、その押圧によって挿通部１０８が筐体の外部から直接見えない位置に移動させる長さだけ、筐体の内側に突き出すとよい。これにより、上述した噴流に対しても適切に対応できる。
【００３８】
なお、上述した実施例において小カバー１０３は、不図示の回動軸を介して筐体（サイドカバー１０２）により回動可能に支持されている。これにより、上述した突起部１１３は常に一定量だけ、決まった方向に薄肉部（１０９）を押圧することができる。しかし、外装部材の支持様式はこれに限られず、薄肉の連結部を介して筐体（サイドカバー１０２）に支持されており、該薄肉部を中心に回動することとしてもよい。また、本実施例では、小カバー１０３は回動式としてサイドカバー１０２に支持されているが、回動しながらスライドする形態とすることもできる。例えば、サイドカバー１０２に小カバー１０３を斜め方向にスライドさせるためのガイド部を設ける。そして、小カバー１０３は、回動に際し、回動しつつガイド部に沿って斜め方向にスライドし、スライドした端部において小カバー１０３がパッキン１０７に当接する構成にもできる。これにより、パッキン１０７は斜めに傾倒する。
【００３９】
（第２の実施例）
上述した第１の実施例では、１本のＰｏＥケーブル２０２を監視カメラ１の本体に配敷する構成について述べた。しかし、複数本のケーブルを配敷した監視カメラにおいても同様の構成を用いることで防水性を担保できる。本実施例では、複数のケーブルを用いる監視カメラに対して本発明を適用した場合について図７及び図８を参照して説明する。
【００４０】
図７は、本実施例に係る監視カメラ２を天井に設置し、これを天井側から見た状態を示している。なお、説明のために天井は不図示としている。本実施例に係る監視カメラ２における本体内部へのケーブルの取り込み口は２つある。具体的には、ＵＳＢケーブル３０１が通るＵＳＢ挿通部３００と、ＰｏＥケーブル２０２が通るＰｏＥケーブル挿通部３０２が設けられる。本実施例において、ＵＳＢケーブル３０１の一端は監視カメラ２の内部に設けられているコネクタ（不図示）に接続され、もう一端は監視カメラ２の近傍に設けられた人感センサー（不図示）に接続されている。ＰｏＥケーブル２０２の一端は監視カメラ２の内部に設けられているコネクタ（不図示）に接続され、もう一端は天井の中を通ってＰｏＥの電源供給部となるＰｏＥハブ（不図示）に接続される。
【００４１】
さらに詳細な構成について、図７におけるパッキン部材３０６の近傍を拡大して示す図８を用いて説明する。本実施例に係る監視カメラ２におけるサイドカバー３０３には、二つの切欠き部が設けられている。これら切欠き部各々には、これ覆うようにＵＳＢ小カバー３０４、及びＰｏＥケーブル小カバー３０５が回動可能に配置されている。なお、これら小カバーとサイドカバーとの構成の詳細については第１の実施例で述べた小カバー１０３などと同様のため、ここで詳細な説明は省略する。
【００４２】
監視カメラ２には更に、第１の実施例と同様にケーブルの防水性を担保するために、パッキン部材３０６が配置される。パッキン部材３０６は、ＵＳＢケーブル３０１が通るＵＳＢ挿通部３００とＰｏＥケーブル２０２が通るＰｏＥケーブル挿通部３０２を有する。また、それぞれの挿通部の周辺部は薄肉のベローズ部３０７で覆われている。ベローズ部３０７の構造等についても、第１の実施例におけるベローズ部１０９と同様である。なお、本実施例では、ＵＳＢ挿通部３００とＰｏＥケーブル挿通部３０２とはこれらの間に設けられたバッファ薄肉部３０８により、それぞれ独立に回動することが可能とされる。バッファ薄肉部３０８は、各々の挿通部の回動を吸収することができる。
【００４３】
ここで、ＵＳＢケーブル３０１は天井に沿って監視カメラ２の横方向から監視カメラ２に導かれ、ＰｏＥケーブル２０２は天井から監視カメラ２に導かれる。従って、ＵＳＢケーブル３０１に対応するＵＳＢ小カバー３０４は第１の実施例の図６の態様で、ＰｏＥケーブル２０２に対応するＰｏＥケーブル小カバー３０５は、第１の実施例の図５の態様で用いられる。ＵＳＢ小カバー３０４を回動することで、ＵＳＢ挿通部３００側のベローズ部３０７の周囲が押圧され、ＵＳＢ挿通部３００はケーブルを横から導きやすい方向に回動する。一方、ＰｏＥケーブル挿通部３０２は回動しないままＰｏＥケーブル挿通部３０２の貫通穴は天井側を向いた状態で位置している。
【００４４】
なお、本実施例では、複数のケーブル挿通部を有するパッキン部材３０６において、それぞれの挿通部が、その外側に設けられたカバーの開閉動作に連動してその向きを変えることで防水性の担保が図られる。なお、本実施例においては、２つの挿通部を有する構成としたが、３つ以上の挿通部を有する構成としても効果は変わらない。また、用いるケーブルにＵＳＢケーブルとＰｏＥケーブルを例示したが、その他のケーブルを用いる構成であっても構わない。更に、本実施例では、２つの挿通部とベローズ部とを一体としているが、２分割されて、それぞれが外装部材の動作に連動して回動するような構成としてもよい。
【００４５】
上述したように、本実施例では、挿通部（３００，３０２）はパッキン部材３０６に少なくとも２つ配置される。また、外装部材（３０４，３０５）は挿通部（３００，３０２）に対応して設けられる。そして、外装部材（３０４，３０５）の少なくとも１つが回動した場合に、挿通部（３００，３０２）は各々独立して向きを変える。また、このような動作を可能とするために、パッキン部材３０６における挿通部（３００，３０２）の各々の間には、各々が独立して向きを変えた際に、その向きの変化を吸収可能な弾性能を備えるバッファ薄肉部３０８が配置される。
【００４６】
以上の構成を配することより、ＵＳＢ挿通部３００が回動することでＵＳＢ挿通部３００は、外側から噴流が直接当たらないように位置することとなる。また、ＰｏＥケーブル挿通部３０２については、その外側にＰｏＥケーブル小カバー３０５が壁として位置する。従って、各々の挿通部について、第１の実施例で述べた場合と同様に、防水性が担保される。
【００４７】
以上、実施例を参照して本発明について説明したが、本発明は上記実施例に限定されるものではない。本発明の趣旨に反しない範囲で変更された発明、及び本発明と均等な発明も本発明に含まれる。また、上述の各実施例及び変形例は、本発明の趣旨に反しない範囲で適宜組み合わせることができる。
【符号の説明】
【００４８】
１、２：監視カメラ、  １００：トップカバー、  １０１：ボトムカバー、  １０２、３０３：サイドカバー、  １０３、３０４、３０５：小カバー、  １０７、３０６：パッキン部材、  １０８、３００、３０２：挿通部、  １０９、３０７：ベローズ部、  １１１：貫通穴、  １１３：突起部、  ２０１：天井、  ２０２：ＰｏＥケーブル、  ３０１：ＵＳＢケーブル
【図１】
2020056864.tif 000003
【図２】
2020056864.tif 000004
【図３】
2020056864.tif 000005
【図４】
2020056864.tif 000006
【図５】
2020056864.tif 000007
【図６】
2020056864.tif 000008
【図７】
2020056864.tif 000009
【図８】
2020056864.tif 000010
【図９】
2020056864.tif 000011
【図１０】
2020056864.tif 000012